【手続補正書】
【提出日】平成24年7月6日(2012.7.6)
【手続補正１】
【補正対象書類名】明細書
【補正対象項目名】０００９
【補正方法】変更
【補正の内容】
【０００９】
上記の目的を達成するために、本発明は、遊技盤の遊技領域に設けられた可変表示装置
の前方に配置され、電子抽選の結果を可動態様によって遊技者に示唆する可動役物装置に
おいて、
前記可変表示装置の表示画面を目視可能な矩形状の開口が設けられた回転板と、この回転板を前記遊技盤の盤面と略平行な面内で正逆両方向へ回転させる回転駆動機構と、前記回転板の外周縁に設けられた遮光壁と、前記遮光壁を検知するフォトインタラプタと、前記フォトインタラプタを取り付ける支持ベースとを有し、
前記フォトインタラプタは、発光素子が収納される第１凸部と、受光素子が収納される第２凸部とがベース基板上に対向して立設されて、前記第１凸部と前記第２凸部との間隙部に光路が形成され、
前記ベース基板は、その先端側に前記支持ベースに取り付けるための第１の取り付け部と、その後端側に外部コネクタとの連結部を有し、
前記光路と直交する方向に前記連結部を跨いで前記フォトインタラプタの後端側を前記支持ベースに取り付けるための固定片を備え、
前記固定片は、一対の基部と、この基部を架け渡すとともに前記連結部と当接して前記
支持ベースに前記連結部を押圧する押圧部とを備え、前記一対の基部には、前記フォトインタラプタの後端部を前記支持ベースに取り付けるための第２の取り付け部を有していることを特徴とする構成とした。
【手続補正２】
【補正対象書類名】明細書
【補正対象項目名】００３７
【補正方法】変更
【補正の内容】
【００３７】
該フォトインタラプタ２５，２６は、図２４に示すように、発光素子が収納される第１凸部２５１と、受光素子が収納される第２凸部２５２とが対向してベース基板２５０に立設され、該第１凸部２５１と該第２凸部２５２との間隙部２５３に光路が形成されるように構成されている。
ところで、該第１凸部２５１と第２凸部２５２とを立設するベース基板２５０は、狭隘な支持ベース２２上に配置されるものであり、しかも、該ベース基板２５０の後端側には、信号出力等のためのコネクタ２７０と該ベース基板２５０とを連結する連結部２５０ｂも必要となることから、回転板２３の所定の大きさを確保するためには、特にその長手方向の長さ、つまり回転板２３に対する直径方向の長さが制限されることとなる。
このため、該ベース基板２５０は、その先端部２５０ａにネジ止め部（第１の取り付け部）２５４ａが設けられており、該ネジ止め部２５４ａがビス２５４ｂにより支持ベース２２にネジ止めされることにより、該フォトインタラプタ２５，２６の回転板２３に対する直径方向の位置決めがされている。
一方、該ベース基板２５０のコネクタ２７０が挿入される側つまりベース基板２５０の後端側に形成されている連結部２５０ｂは、固定片２６０により支持ベース２２に固定され、該フォトインタラプタ２５，２６の回転板２３に対する円周方向の位置決めがされている。
該固定片２６０は、図２４，２５に示すように、一対の基部２６０ａと、該基部２６０ａを架け渡すとともに、後端部２５０ｂに当接して支持ベース２２へ押圧する、ベース基板２５０の長手方向に幅狭に形成された押圧部２６０ｂとから構成されている。したがって、その両基部２６０ａに設けられたネジ止め部（第２の取り付け部）２６４ａがビス２６１ａ、ｂにより支持ベース２２に固定されることにより、幅狭に形成された押圧部２６０ｂが連結部２５０ｂを支持固定するので、該連結部２５０ｂの長手方向の長さが短くても、回転板２３に対する円周方向での位置決め固定を確実に行うことができる。
【手続補正３】
【補正対象書類名】明細書
【補正対象項目名】００３９
【補正方法】変更
【補正の内容】
【００３９】
フォトインタラプタ２５，２６が支持ベース２２上にこのように固定されている様子を、図５の一部を拡大した図２６に示す。前述したように、該フォトインタラプタ２５，２６の間隙部２５３に、前記した遮光壁３７（３７ａ及び３７ｂ）が位置することができるように配置されている。
ここで、フォトインタラプタ２５の第２凸部２５２と、フォトインタラプタ２６の第１凸部２５１とが前記回転板２３の直径方向において、互いにオーバーラップするように配置されている。
この配置に伴い、フォトインタラプタ２５，２６の固定片２６０の基部２６０ａは、それぞれが干渉しない位置に固定することができるとともに、回転板２３の直径方向に対して、フォトインタラプタ２５，２６が全体としてコンパクトに配置することができるので、回転板２３の大きさ等の設計の自由度が一層、向上する。
なお、上記の例では、発光素子が収納される第１凸部２５１と受光素子が収納される第２凸部２５２とを、図２４に示すように対向して配置したが、受光素子が収納される第２凸部２５２を先端側に、発光素子が収納される第１凸部２５１を後端側に配置しても同様である。
【手続補正４】
【補正対象書類名】明細書
【補正対象項目名】００４５
【補正方法】変更
【補正の内容】
【００４５】
３  遊技盤
９  遊技領域
１０  中央役物ユニット
１１  貫通孔
１２  装飾ケース
１３  可動役物装置
１４  可変表示装置
１４ａ  表示画面
２２  支持ベース
２２ａ  透孔
２３  回転板
２５  第１フォトインタラプタ（第１のフォトセンサ）
２６  第２フォトインタラプタ（第２のフォトセンサ）
２９  駆動モータ
３０  減速ギア列
３３  開口
３４  ローラ
３６  リングギア
３７ａ  短尺の遮蔽壁
３７ｂ  長尺な遮光壁
３８  装飾カバー
３９  窓孔
４０  第１スライド板
４１  第２スライド板
４２  第１モータ
４３  第１スクリューシャフト
４４  第２モータ
４５  第２スクリューシャフト
５２，５４  ガイド筒体
２５０  ベース基板
２５４ａ  ネジ止め部（第１の取り付け部）
２５０ｂ  連結部
２５１  第１凸部
２５２  第２凸部
２５３  間隙部
２６０  固定片
２６０ａ  基部
２６０ｂ  押圧部
２６４ａ ネジ止め部（第２の取り付け部）
２７０  コネクタ
Ｌ  垂線
【手続補正５】
【補正対象書類名】特許請求の範囲
【補正対象項目名】全文
【補正方法】変更
【補正の内容】
【特許請求の範囲】
【請求項１】
遊技盤の遊技領域に設けられた可変表示装置の前方に配置され、電子抽選の結果を可動
態様によって遊技者に示唆する可動役物装置において、
前記可変表示装置の表示画面を目視可能な矩形状の開口が設けられた回転板と、この回転板を前記遊技盤の盤面と略平行な面内で正逆両方向へ回転させる回転駆動機構と、前記回転板の外周縁に設けられた遮光壁と、前記遮光壁を検知するフォトインタラプタと、前記フォトインタラプタを取り付ける支持ベースとを有し、
前記フォトインタラプタは、発光素子が収納される第１凸部と、受光素子が収納される第２凸部とがベース基板上に対向して立設されて、前記第１凸部と前記第２凸部との間隙部に光路が形成され、
前記ベース基板は、その先端側に前記支持ベースに取り付けるための第１の取り付け部と、その後端側に外部コネクタとの連結部を有し、
前記光路と直交する方向に前記連結部を跨いで前記フォトインタラプタの後端側を前記支持ベースに取り付けるための固定片を備え、
前記固定片は、一対の基部と、この基部を架け渡すとともに前記連結部と当接して支持ベースに前記連結部を押圧する押圧部とを備え、前記一対の基部には、前記フォトインタラプタの後端部を前記支持ベースに取り付けるための第２の取り付け部を有していることを特徴とする可動役物装置。
【手続補正６】
【補正対象書類名】図面
【補正対象項目名】図２０
【補正方法】変更
【補正の内容】
【図２０】
2011067405.tif 000001
【手続補正７】
【補正対象書類名】図面
【補正対象項目名】図２１
【補正方法】変更
【補正の内容】
【図２１】
2011067405.tif 000002
【手続補正８】
【補正対象書類名】図面
【補正対象項目名】図２２
【補正方法】変更
【補正の内容】
【図２２】
2011067405.tif 000003
【手続補正９】
【補正対象書類名】図面
【補正対象項目名】図２４
【補正方法】変更
【補正の内容】
【図２４】
2011067405.tif 000004
【手続補正１０】
【補正対象書類名】図面
【補正対象項目名】図２６
【補正方法】変更
【補正の内容】
【図２６】
2011067405.tif 000005